(57)【要約】      （修正有）【課題】バッグ本体を地面や土足の床等に直接置いた時に、バッグの底面を覆うことができるカバーを装着することによって、底部の汚れを防止するバッグを提供する。【解決手段】バッグ本体６ａ・６ｂと着脱式底カバー１ａ・１ｂの双方にマジックテープ、ホック、ファスナー、バックル、ボタン等で接合できる接合部材が取り付けられ、バッグ本体の接合部９ｃと着脱式底カバーの接合部２ａ・２ｃを接合することによって、着脱式底カバーがバッグ本体の底部を覆うように装着でき、バッグ本体の底面が汚れを防止することができる。【選択図】図３
0003161084.tif 000002
【実用新案登録請求の範囲】
【請求項１】
バッグ底部を覆うように被せて装着できる着脱式底カバー付きのバッグであって、装着時の着脱式底カバーの縦断面または横断面が開口部を上向きとするコの字形状であり、バッグ本体の前面・背面または側面の下部と底面を覆い、前記バッグと着脱式底カバー双方にマジックテープ、ホック、ファスナー、バックル等の着脱可能な接合部材が取り付けられ、バッグ本体と着脱式底カバーの接合部分を接合させることにより、バッグ本体の底部が着脱式底カバーで覆われ、バッグ本体底部の汚れを防止する。
【考案の詳細な説明】
【技術分野】
【０００１】  本考案は、バッグ本体の底部に装着し、バッグ本体の底部の汚れを防止する着脱式底カバーに関するものである。
【背景技術】
【０００２】  従来のバッグには、地面や土足の床等に直接置いた時に、バッグの底部が汚れることを防止する為の底鋲が打たれたものがある。しかし、バッグの素材や形状、構造、地面や土足の床等の状態によっては、バッグ本体の底部に底鋲が打たれていても、バッグ本体の底部が汚れてしまうことがあった。また、底部に底鋲が打たれていないバッグもあり、地面や土足の床等に置いた時に、バッグ底部が汚れる不都合は、避けることができなかった。
【考案の概要】
【考案が解決しようとする課題】
【０００３】  地面や土足の床等に直接バッグを置いた場合、バッグ本体の底部が、地面や土足の床等に接地し、そのために汚れてしまうという不都合があった。従って、バッグ本体の底部が汚れないように、バッグ本体の底部に着脱式底カバーを取り付けることによって、カバー装着時には、バッグを地面や土足の床等に置いた時に、バッグ本体の底部は、カバーに覆われているため、汚れるという問題が解消されることで、前述の欠点を解決しようとするものである。
【課題を解決するための手段】
【０００４】  本考案は、バッグ本体の底部に着脱式底カバーを取り付けられるように、バッグ本体と着脱式底カバー双方にマジックテープ、ホック、ファスナー、バックル等の両者の接合を可能にする接合部材がバッグ本体の前面・背面または側面の下部と着脱式底カバーの両端に取り付けられ、双方の接合部材を接合してバッグ本体の底部に着脱式底カバーを装着することにより、バッグを地面や土足の床等に置いた時、バッグ本体底部の汚れを防止できることにより問題を解決している。
【考案の効果】
【０００５】  請求項１記載の本考案に係る着脱式底カバーを、バッグ本体の底部に取り付けることによって、バッグを地面や土足の床等に接地するように置いた時、バッグ本体の底部が汚れることを防ぐ。それによって、バッグを携行する際、バッグの底が汚れることを気にすることなく地面や土足の床等に直接置く事ができる。しかも、着脱式底カバーを取り外せば、バッグ本体の底部は汚れていないので、土足ではない室内や自宅等へ外部の汚れを持ち込むことがなく衛生的である。また、着脱式底カバーは、取り外して洗濯等のケアができるため、衛生面も保たれる。そして、バッグ本体底部の汚れを防止できるため、バッグ本体の汚損を軽減する。
【図面の簡単な説明】
【０００６】
【図１】本考案の着脱式底カバーの前面から見た斜視図である。
【図２】本考案のバッグ本体の前面から見た斜視図である。
【図３】本考案のバッグ本体へ着脱式底カバーを装着しようとする前面から見た斜視図である。
【図４】本考案の着脱式底カバーの表面の展開図である。
【図５】本考案の着脱式底カバーの裏面の展開図である。
【図６】本考案のバッグ本体の接合部材が取り付けられる部位の斜視図である。
【考案を実施するための形態】
【０００７】  バッグ本体の前面・背面または側面の下部と着脱式底カバー双方に、マジックテープ、ホック、ファスナー、バックル、ボタン等を接合できる接合部材が取り付けられている。そして、着脱式底カバーは、バッグ本体の前面・背面または側面の下部と底面を覆うように装着でき、バッグ本体の底部を露出させないよう、縦断面または横断面が開口部を上向きとするコの字形状に装着できるようになっている。着脱式底カバーには底鋲が打ってあり、カバー自体の汚れも軽減するようになっており、地面や土足の床等に置いた時にも自立しやすくなっている。
【実施例】
【０００８】  以下、添付図面に従って実施例を説明する。着脱式底カバー１ａはバッグ本体６ａの接合部９ａ・９ｂと着脱式底カバー１ａの接合部２ａとを接合することによって、着脱式底カバー１ｂは、バッグ本体６ｂの接合部９ｃと着脱式底カバー１ｂの接合部２ｃとを接合することによって、着脱式底カバー１ａ・１ｂは、それぞれバッグ本体６ａ・６ｂの底部全体を覆う。【０００９】  バッグ本体の接合部９ａ・９ｂ・９ｃと着脱式底カバーの接合部２ａ・２ｃは、マジックテープ、ホック、ファスナー、バックル、ボタン等で両者を接合できる接合部材が取り付けられており、双方の部材を接合することにより、着脱式底カバーがバッグ本体の底部全体を覆い、バッグ本体と一体化するようになっている。【００１０】  着脱式底カバー１ａ・１ｂには底鋲５ａ〜５ｊが取り付けられており、バッグ本体に装着した時、バッグ本体が底鋲付きのバッグのように自立しややすくなり、着脱式底カバー自体の汚れも軽減する。
【符号の説明】
【００１１】１    着脱式底カバー
２    着脱式底カバー接合部
３    着脱式底カバー接合部
４    着脱式底カバー接合部材
５    底鋲
６    バッグ本体
７    バッグ本体接合部材
８    バッグ本体接合部
９    バッグ本体接合部
１０  フラップ
【図１】
0003161084.tif 000003
【図２】
0003161084.tif 000004
【図３】
0003161084.tif 000005
【図４】
0003161084.tif 000006
【図５】
0003161084.tif 000007
【図６】
0003161084.tif 000008
【手続補正書】
【提出日】平成22年4月28日(2010.4.28)
【手続補正１】
【補正対象書類名】実用新案登録請求の範囲
【補正対象項目名】全文
【補正方法】変更
【補正の内容】
【実用新案登録請求の範囲】
【請求項１】
バッグ本体の底部を覆う底カバー付きバッグであって、前記バッグ本体に対して前記底カバーが着脱可能に設けられていることを特徴とする底カバー付きバッグ。
【請求項２】
前記底カバーの内部には、板状部材が挿脱可能に設けられている請求項１に記載の底カバー付きバッグ。
【請求項３】
前記底カバーは、前記バッグ本体の前面下部と背面下部、又は前記バッグ本体の左右側面下部に対して着脱可能な立上り部を備えている請求項１又は２に記載の底カバー付きバッグ。
【請求項４】
前記バッグ本体には、前記底カバーの立上り部の先端を挿入保持するための接合部材が設けられ、前記立上り部の先端角部はテーパ状に切欠されている請求項３に記載の底カバー付きバッグ。
【手続補正２】
【補正対象書類名】明細書
【補正対象項目名】全文
【補正方法】変更
【補正の内容】
【考案の詳細な説明】
【技術分野】
【０００１】  本考案は、バッグ本体の底部に装着し、バッグ本体の底部の汚れを防止する底カバー付きバッグに関するものである。
【背景技術】
【０００２】  従来のバッグには、地面や土足の床等に直接置いた時に、バッグの底部が汚れることを防止する為の底鋲が打たれたものがある。しかし、バッグの素材や形状、構造、地面や土足の床等の状態によっては、バッグ本体の底部に底鋲が打たれていても、バッグ本体の底部が汚れてしまうことがあった。また、底部に底鋲が打たれていないバッグもあり、地面や土足の床等に置いた時に、バッグ底部が汚れる不都合は、避けることができなかった。
【考案の概要】
【考案が解決しようとする課題】
【０００３】  地面や土足の床等に直接バッグを置いた場合、バッグ本体の底部が、地面や土足の床等に接地し、そのために汚れてしまうという不都合があった。従って、バッグ本体の底部が汚れないように、バッグ本体の底部に底カバーを取り付けることによって、底カバー装着時には、バッグを地面や土足の床等に置いた時に、バッグ本体の底部は、底カバーに覆われているため、汚れるという問題が解消されることで、前述の欠点を解決しようとするものである。
【課題を解決するための手段】
【０００４】本考案は、バッグ本体の底部を覆う底カバー付きバッグであって、前記バッグ本体に対して前記底カバーが着脱可能に設けられていることを特徴とする。そして、前記底カバーの内部には、板状部材が挿脱可能に設けられているのが好ましい。これにより、底カバーを洗濯する際に板状部材を取り外して洗濯機で行うことができ、洗濯を効率よく行うことができるようになると共に、洗濯時の板状部材の損傷を防止することができる。また、底カバーに板状部材（例えば、ＰＥハードボード等）を挿入することにより、バッグ本体が自立し易くなる。また、前記底カバーは、前記バッグ本体の前面下部と背面下部、又は前記バッグ本体の左右側面下部に対して着脱可能な立上り部を備えているのが好ましい。これにより、バッグ本体の底部が汚れるのを確実に防止することができると共にバッグ本体に対する底カバーの着脱作業を容易に行うことができるようになる。さらに、前記バッグ本体には、前記底カバーの立上り部の先端を挿入保持するための接合部材が設けられ、前記立上り部の先端角部はテーパ状に切欠されているのが好ましい。これにより、接合部材に対して立上り部の先端を挿脱する際に立上り部の角部が接合部材に引っ掛かるのを防止することができるため、バッグ本体に対する底カバーの着脱作業を一段と容易に行うことができるようになる。さらに、より具体的には、本考案は、バッグ本体の底部に底カバーを取り付けられるように、バッグ本体と底カバー双方にマジックテープ（登録商標）、ホック、ファスナー、バックル、ボタン等の両者の接合を可能にする接合部材がバッグ本体の前面・背面または側面の下部と底カバーの両端に取り付けられ、双方の接合部材を接合してバッグ本体の底部に底カバーを装着することにより、バッグを地面や土足の床等に置いた時、バッグ本体底部の汚れを防止できることにより問題を解決している。
【考案の効果】
【０００５】本考案のように前記バッグ本体に対して前記底カバーが着脱可能に設けられることにより、バッグ本体の底部に取り付けられ、バッグを地面や土足の床等に接地するように置いた時、バッグ本体の底部が汚れることを防ぐ。それによって、バッグを携行する際、バッグの底が汚れることを気にすることなく地面や土足の床等に直接置く事ができる。しかも、底カバーを取り外せば、バッグ本体の底部は汚れていないので、土足ではない室内や自宅等へ外部の汚れを持ち込むことがなく衛生的である。また、底カバーは、取り外して洗濯等のケアができるため、衛生面も保たれる。そして、バッグ本体底部の汚れを防止できるため、バッグ本体の汚損を軽減する。
【図面の簡単な説明】
【０００６】
【図１】本考案の底カバーの前面から見た斜視図である。
【図２】本考案のバッグ本体の前面から見た斜視図である。
【図３】本考案のバッグ本体へ底カバーを装着しようとする前面から見た斜視図である。
【図４】本考案の底カバーの表面の展開図である。
【図５】本考案の底カバーの裏面の展開図である。
【図６】本考案のバッグ本体の接合部材が取り付けられる部位の斜視図である。
【考案を実施するための形態】
【０００７】前記バッグ本体の前面・背面または側面の下部と前記底カバー双方に、マジックテープ（登録商標）、ホック、ファスナー、バックル、ボタン等を接合できる接合部材が取り付けられている。そして、底カバーは、バッグ本体の前面・背面または側面の下部と底面を覆うように装着でき、バッグ本体の底部を露出させないよう、縦断面または横断面が開口部を上向きとするコの字形状に装着できるようになっている。底カバーには底鋲が打ってあり、底カバー自体の汚れも軽減するようになっており、地面や土足の床等に置いた時にも自立しやすくなっている。
【実施例】
【０００８】  以下、添付図面に従って実施例を説明する。底カバー１ａはバッグ本体６ａの接合部９ａ・９ｂと底カバー１ａの接合部２ａとを接合することによって、底カバー１ｂは、バッグ本体６ｂの接合部９ｃと底カバー１ｂの接合部２ｃとを接合することによって、底カバー１ａ・１ｂは、それぞれバッグ本体６ａ・６ｂの底部全体を覆う。【０００９】  バッグ本体の接合部９ａ・９ｂ・９ｃと底カバーの接合部２ａ・２ｃは、マジックテープ（登録商標）、ホック、ファスナー、バックル、ボタン等で両者を接合できる接合部材が取り付けられており、双方の部材を接合することにより、底カバーがバッグ本体の底部全体を覆い、バッグ本体と一体化するようになっている。【００１０】底カバー１ａ・１ｂには底鋲５ａ〜５ｊが取り付けられており、バッグ本体に装着した時、バッグ本体が底鋲付きのバッグのように自立しややすくなり、底カバー自体の汚れも軽減する。なお、あえて言う迄もないが、本考案は、ブリーフケース、ビジネスバッグ、旅行用カバン等のソフトラゲージの他、あらゆる種類のカバン類に適用可能である。また、カバンの素材としては、ナイロン布、綿布、ポリエステル等の繊維素材や、ビニール、塩ビ等の繊維以外の素材等、あらゆる種類の素材を使用することができる。さらに、底カバーには、板状部材や底鋲が設けられていてもいなくても構わない。
【符号の説明】
【００１１】１  底カバー２  底カバー接合部３  底カバー接合部４  底カバー接合部材５  底鋲６  バッグ本体７  バッグ本体接合部材８  バッグ本体接合部９  バッグ本体接合部１０  フラップ